(57)【要約】【技術課題】防災用リュックにおいて、リュックの一部に頭巾として用いることができる部位を設けることにより、災害発生時に頭巾として用いることができるようにする。【解決手段】リュック本体１の口部３に被せるようにして覆う蓋布４の内側に、折り畳み自在にサイドカバー６を取り付けて頭巾部５を形成し、災害発生時にはリュックを背負い、蓋布４を裏返し、前方に持って来て、サイドカバー６を開き、絞り環１０で紐７の長さを調節してから頭巾部５を頭に被り、避難する。【選択図】　　　　図７
2004105504.tif 000002
【特許請求の範囲】
【請求項１】
リュック本体の出し入れ口に被せるようにして覆う蓋布の内側に、折り畳み自在にサイドカバーを取り付けて頭巾部を形成し、災害発生時にはリュックを背負い、蓋布を裏返し、前方に持って来て前記頭巾部を頭に被り、避難することができるように構成して或る防災用リュック。
【請求項２】
請求項１の蓋布及び頭巾部は、耐火若しくは難燃性素材で出来ていることを特徴とする防災用リュック。
【請求項３】
請求項１の蓋布であって、頭巾部には、クッション材が取り付けられていることを特徴とする防災用リュック。
【請求項４】
請求項１の蓋布及び頭巾部は防水加工されていることを特徴とする防災用リュック。
【請求項５】
請求項１の紐には、絞り環が取り付けられていて、頭巾部側の長さを調節自在に構成して成ることを特徴とする防災用リュック。
【発明の詳細な説明】
【０００１】
【発明の属する技術分野】
本発明は、地震等の災害発生時に、非常持出品、非常食等を詰めて背負い、避難するときに用いる防災用リュックに関するものである。
【０００２】
【従来の技術】
従来の防災用リュックは、非常用として種々の機能を高めているが、実際にこのリュックを背負って避難する人を守ると云う工夫はない。
そこで、特開平９−１５４６３２号公報には、防災頭巾付きのリュックが提案されている。このリュックは、リュックとは別に防災用の頭巾をリュックの上部にボタンで着脱自在に取り付けておき、避難時にこの頭巾を被ると云うものである。
【０００３】
【発明が解決しようとする課題】
しかし、この頭巾付きのリュックにおいては、次のような欠点がある。
１．リュックとは別に頭巾を作る必要があるため、コスト高となる。
２．頭巾が別に付いている分、嵩張る。
３．頭巾について、安全対策上の工夫がない。
本発明は、斯る点に鑑みて提案されるものであって、コストが安く、特に嵩張ったりせず、安全対策を十分に施した防災用リュックを提供するのが目的である。
【０００４】
【課題を解決するための手段】
上記目的を達成するため、請求項１に記載の発明においては、リュック本体の出し入れ口に被せるようにして覆う蓋布の内側に、折り畳み自在にサイドカバーを取り付けて頭巾部を形成し、災害発生時にはリュックを背負い、蓋布を裏返し、前方に持って来て前記頭巾部を頭に被り、避難することができるように構成して或る防災用リュックを特徴とするものである。
【０００５】
更に、請求項２に記載の発明においては、請求項１の蓋布及び頭巾部は、耐火若しくは難燃性素材で出来ていることを特徴とするものである。
【０００６】
更に、請求項３に記載の発明においては、請求項１の蓋布であって、頭巾部には、クッション材が取り付けられていることを特徴とするものである。
【０００７】
更に、請求項４に記載の発明においては、請求項１の蓋布及び頭巾部は防水加工されていることを特徴とするものである。
【０００８】
更に、請求項５の発明においては、請求項１の紐には、絞り環が取り付けられていて、頭巾部側の長さを調節自在に構成して成ることを特徴とするものである。
【０００９】
【作用】
通常のリュックとして用いる場合の蓋布は、リュックの口を閉じた上に被せ、バンド取付部で留める。そして、地震等が発生し、避難する場合には、リュックの口の上に被せていた蓋布のバンド取付部を外ずし、蓋布を前側（人の頭側）に反転させると共に１８０°回転（裏返し）させて頭巾側を人の頭の方に向け、サイドカバーを開き、絞り環で長さを調節して被る。
このようにして用いることで、リュックを背負った状態で蓋布は頭巾に変わり、リュックを背負って避難する人の頭部を保護し、サイドカバーは頭側及び顔面を保護する。
蓋布及び頭巾部の布（合成皮革、織布等）には、耐火若しくは難燃性、透明性の材料、あるいは難燃物をコーティングした材料を用いることにより、火災時を想定した安全性の向上を図ることができる。勿論、防水性にも配慮する。また、頭部を衝撃から守るために、頭巾部の要所にはクッション材あるいは衝撃吸収材を装着する。
【００１０】
【実施例】
上記した本発明の構成と使用例を図１〜図７に基づいて詳細に説明する。図１は、防災用リュックの全体構成を示し、１はリュック本体、２は背負いバンド、３はリュック本体の口部、４はこの口部３を覆うようにして取り付けられた蓋布であって、この蓋布４の内側には、図２、３に示すように、その周辺（３辺）に沿ってサイドカバー６を有する頭巾部５が形成されていて、リュック本体１の口部３を覆うときには、図２に示すようにこのサイドカバー６を平らに折り畳んで用い、頭巾として被るときには、図３に示すようにサイドカバー６を開き、この状態で頭に被る。７は、蓋布４をリュック本体１の背負いバンド取付部８に縛りつけておくための紐であって、この紐７には、長さ調節用の絞り環１０が根元側に取り付けてある。
【００１１】
図５は蓋布４をリュック本体１の口部３側に位置させた状態であって、図６は頭巾として用いるために、蓋布４を図５において矢印ａに示すように反転させ、図６に示すように、バンド取付部８のところに縛りつけた紐７のところで蓋布４を１８０°回転し、頭巾部５のサイドカバー６を開いた状態、図７はこのようにして開いた頭巾部５を絞り環１０で長さを調節したあと、頭に被っている状態の説明図である。図４は蓋布４と頭巾部５の断面構造であって、蓋布４（頭巾部５）には、スポンジ体９が装入されていて、頭部を衝撃等から守っている。
【００１２】
なお、実施例の蓋布４、頭巾部５、サイドカバー６、紐７は難燃性（耐火性）素材で作られているが、リュック本体１側もこのような素材で作ってもよい。
【００１３】
【発明の効果】
本発明は以上のように、リュックの蓋布自体を頭巾兼用のものとしたことにより、次の効果がある。
１．頭巾はリュックの蓋布が兼用しているため、製作コストが安い。
２．頭巾は別についておらず、リュックの蓋布と一体のため、嵩張らない。
３．蓋布、頭巾部、サイドカバーには難燃又は耐火性素材を用い、クッション等も入れることにより、火災時の避難において特に安全性が高まる。
４．紐に絞り環を取り付けたことにより、蓋として使用する場合、頭巾として使用する場合に紐の長さを調節することができて便利である。
５．サイドカバーを透明体で構成することにより、視界が広まり、避難時の安全性が増す。
【図面の簡単な説明】
【図１】本発明に係るリュックの説明図
【図２】蓋布の内側であって、頭巾部を示す説明図
【図３】頭巾部のサイドカバーを開いた状態の説明図
【図４】頭巾部の断面図
【図５】蓋布を反転する前の説明図
【図６】蓋布を反転させると共に１８０°回転して頭巾部を開いた状態の説明図
【図７】避難時に頭巾部を開き、頭に被っている状態の説明図
【符号の説明】
１．リュック本体
２．口部
３．ベルト
４．蓋布
５．頭巾部
６．サイドカバー
７．紐
８．バンド取付部
９．スポンジ体
１０．絞り環
【図１】
2004105504.tif 000003
【図２】
2004105504.tif 000004
【図３】
2004105504.tif 000005
【図４】
2004105504.tif 000006
【図５】
2004105504.tif 000007
【図６】
2004105504.tif 000008
【図７】
2004105504.tif 000009